(57)【要約】【課題】内輪もしくは外輪を抜いたときに、ポケット孔から円筒ころが落下しないころ軸受用保持器を提供する。【解決手段】円周方向にポケット孔１２を複数形成した帯状鋼板１１は、円周方向両側に設けられた柱部２０と、軸方向両側に設けられた第１環状部３０および第２環状部３５と、ポケット孔１２へ向かって突出した爪部４０、４５とからなるころ軸受用保持器であって、帯状鋼板１１の両端部に係合溝を軸方向に形成し、帯状鋼板１１の両端部間に介挿される介挿部材２１に柱部２１ａを設け、この介挿部材２１に柱部２１ａを挟んで軸方向両側に爪部２２、２７および係合部２３、２８を順に設けるとともに円周方向両側へ突出するような形で設け、係合溝および係合部２３、２８の形状を、互いに軸方向のみ挿入できる形状とし、介挿部材２８の爪部２２、２７は、係合溝に挿入した後、他の爪部４０、４５と同一の形状となるように変形させたものである。【選択図】図１
2013137046.tif 000002
【特許請求の範囲】
【請求項１】
環状をなし円周方向にころ収納用のポケット孔を複数形成した帯状鋼板からなり、この帯状鋼板は、前記ポケット孔の円周方向両側に設けられた柱部と、前記ポケット孔の軸方向両側に設けられた第１環状部および第２環状部と、前記柱部から前記ポケット孔へ向かって突出し、ころの抜けを防止する爪部とからなるころ軸受用保持器であって、前記帯状鋼板の両端部に軸方向に係合溝を形成し、複数ある柱部のうち一つを、帯状鋼板の両端部間に介挿される介挿部材に設け、この介挿部材に前記柱部を挟んで軸方向両側に前記爪部および係合部を順に設けるとともに円周方向両側へ突出するような形で設け、前記係合溝および前記係合部の形状を、互いに軸方向のみ挿入できる形状とし、前記介挿部材の前記爪部は、前記係合溝に軸方向に挿入した後、他の爪部と同一の形状となるように変形させたものであることを特徴とするころ軸受用保持器。
【発明の詳細な説明】
【技術分野】
【０００１】
本発明は、例えば円筒ころを回転可能に保持するころ軸受用保持器に関する。
【背景技術】
【０００２】
従来のころ軸受用溶接保持器は、例えば図５に示すものがある（特許文献１）。１００は帯状鋼板、１０１はポケット孔、１０２はポケット孔１０１の円周方向両側の柱部、１０６、１０７はポケット孔１０１の軸方向両側の第１環状部および第２環状部、１０８、１０９は溶接部、１１０、１１１は溶接ビードである。
【０００３】
このころ軸受用溶接保持器は、幅が一定で所定の長さに切断した帯状鋼板１００を環状に丸めて作られる。ころ軸受用溶接保持器は、周方向に複数の転動体収納用のポケット孔１０１を有し、複数のポケット孔１０１のうち、一つのポケット孔１０１を構成する第１環状部１０６および第２環状部１０７の両端部を突合せ溶接し、両端部間に溶接部１０８、１０９が形成されている。
【先行技術文献】
【特許文献】
【０００４】
【特許文献１】特許第４５２５２４７号公報
【発明の概要】
【発明が解決しようとする課題】
【０００５】
ころ軸受用溶接保持器および円筒ころを内輪および外輪間に挿入し、外輪に対し内輪を回転させると、円周方向に分断させようとする力が、ころ軸受用溶接保持器に作用する。第1環状部１０６および第２環状部１０７に比べて溶接部１０８、１０９の方が強度的に弱く、溶接部１０８、１０９の溶接欠陥を目視で確認しにくい。もし溶接欠陥があると、溶接部１０８、１０９で分断し、かかる状態で、内輪を抜くと、円筒ころが落下する問題があった。本発明は、上述した問題点を解決するためになされたもので、その目的とするところは、内輪もしくは外輪を抜いたときに、ポケット孔から円筒ころが落下しないころ軸受用保持器を提供する。
【課題を解決するための手段】
【０００６】
請求項１に記載の発明は、環状をなし円周方向にころ収納用のポケット孔を複数形成した帯状鋼板からなり、この帯状鋼板は、前記ポケット孔の円周方向両側に設けられた柱部と、前記ポケット孔の軸方向両側に設けられた第１環状部および第２環状部と、前記柱部から前記ポケット孔へ向かって突出し、ころの抜けを防止する爪部とからなるころ軸受用保持器であって、前記帯状鋼板の両端部に軸方向に係合溝を形成し、複数ある柱部のうち一つを、帯状鋼板の両端部間に介挿される介挿部材に設け、この介挿部材に前記柱部を挟んで軸方向両側に前記爪部および係合部を順に設けるとともに円周方向両側へ突出するような形で設け、前記係合溝および前記係合部の形状を、互いに軸方向のみ挿入できる形状とし、前記介挿部材の前記爪部は、前記係合溝に軸方向に挿入した後、他の爪部と同一の形状となるように変形させたものである。
【発明の効果】
【０００７】
本発明によれば、係合溝および係合部の状態を目視で確認して不良品を事前に排除できるので、介挿部材が帯状鋼板から離脱することがない。よって、内輪もしくは外輪を抜いたとき、ポケット孔からころが落下しないころ軸受用保持器を提供することができる。さらに介挿部材に柱部を設け、柱部の円周方向両側にポケット孔が設けられているので、円周方向に多数のポケット孔を設けることができる。
【図面の簡単な説明】
【０００８】
【図１】本発明の実施形態におけるころ軸受用保持器の斜視図である。
【図２】本発明の実施形態におけるころ軸受用保持器の図１のＡ矢視図である。
【図３】本発明の実施形態におけるころ軸受用保持器の展開平面図である。
【図４】本発明の実施形態におけるころ軸受用保持器の図２の要部拡大図である。
【図５】従来のころ軸受用溶接保持器の展開平面図である。
【発明を実施するための形態】
【０００９】
本発明の実施形態について、図１ないし図４を参酌しつつ説明する。図１はころ軸受用保持器の斜視図であり、図２はころ軸受用保持器の図１のＡ矢視図であり、図３はころ軸受用保持器の展開平面図であり、図４はころ軸受用保持器の図２の要部拡大である。
【００１０】
図１および図３において、１０はころ軸受用保持器全体を示す。１１は帯状鋼板、１２はポケット孔、２０、２１ａはポケット孔１２の円周方向両側の柱部、３０、３５はポケット孔１２の軸方向両側の第１環状部および第２環状部、２２、２７、４０、４５は爪部、２１は帯状鋼板１１の両端部間に介挿された介挿部材である。
【００１１】
ころ軸受用保持器１０は、円周方向に複数のポケット孔１２を有する一枚の帯状鋼板１１を環状に丸め、帯状鋼板１１の両端部間に介挿部材２１を介挿したものである。帯状鋼板１１は、ポケット孔１２の円周方向両側に設けられた柱部２０と、ポケット孔１２の軸方向両側に設けられた第１環状部３０および第２環状部３５とからなっている。図４に示すように、帯状鋼板１１の両端部には係合溝１３が軸方向に形成され、この係合溝１３は外径側に向かってかつ両端部から離れる方向に向かって先細りとなる形状を有する。
【００１２】
図１および図３において、介挿部材２１は、帯状鋼板１１の両端部間に介挿され、両端部を繋ぐものである。介挿部材２１には軸方向中間に柱部２０と同形状の柱部２１ａを有し、柱部２１ａを挟んで軸方向両側に爪部２２、２７、係合部２３、２８が順に形成されている。爪部２２、２７、係合部２３、２８は、円周方向両側へ突出している。図２および図４に示すように、係合部２３、２８は、係合溝１３に対し軸方向に挿通できる形状を有し、係合部２３、２８は外径側に向かってかつポケット孔１２に向かって先細りとなる形状を有する。爪部２２、２７は、係合溝１３に挿入する直前は、係合部２３、２８と同一形状を有し、係合溝１３に挿入後は、後述する爪４０、４５と同一形状を有する。
【００１３】
このように、係合溝１３に係合部２３、２８を係合させることによって、帯状鋼板１１の両端部および介挿部材２１間の径方向および円周方向の動きが規制される。また、爪部２２、２７を後述する爪４０、４５と同一形状に変形させることによって、帯状鋼板１１の両端部および介挿部材２１間の軸方向の動きが規制される。介挿部材２１に柱部２１ａを設けることによって、ポケット孔１２を円周方向に等間隔に配置することができ、ポケット孔１２および円筒ころ５０を多数配置することができ、軸受のラジアル定荷重を高めることができる。
【００１４】
図１および図３において、ポケット孔１２は、円周方向両側の柱部２０、２１と、軸方向両側の第１環状部３０および第２環状部３５とで囲まれた平面視矩形形状（図３）をなしている。柱部２０、２１は円周方向に一定幅で軸方向に延びる部分であり、第１環状部３０、３５は軸方向に一定幅で円周方向に延びる部分である。
【００１５】
爪部２２、２７、４０、４５は、柱部２０、２１ａから円周方向両側、すなわちポケット孔１２側へ突出するような形で設けられたものである。柱部２０の内周面には、爪部４０、４５に対応する位置に凹み２０ａが形成されている。図略のプレス金型を使用して、凹み２０ａを形成すると同時に、凹み２０ａにあった材料を使って爪部４０、４５を塑性加工により形成する。第１環状部３０側の柱部２０に爪部４０が形成され、第２環状部３５側の柱部２０に爪部４５が形成されている。第１環状部３０側の柱部２１ａに爪部２２が形成され、第２環状部３５側の柱部２１ａに爪部２７が形成されている。爪部２２、２７、４０、４５は、円筒ころ５０がころ軸受用保持器１１の内径側へ抜けるのを防止するもので、柱部２０、２１の内径側に設けられている。
【００１６】
次に図１および図３にもとづいて、ころ軸受用保持器１０の製造方法を説明する。帯状鋼板１１にプレス加工を施し、ころ軸受用保持器１０の展開平面を作る。帯状鋼板１１の材料としては、例えば、成形性に優れたＳＰＣＣのフープ材を用いることができる。
【００１７】
ころ軸受用保持器１０の展開平面を作るのに、プレス金型が使用され、プレス金型によって、複数のポケット穴１２が同時に成形される。すなわち、材料の打ち抜きと材料の切断が同時に行われる。さらに爪塑性加工用金型によって、帯状鋼板１１に爪部４０、４５および凹み２０ａが同時に形成される。またさらに曲げ加工金型によって、帯状鋼板１１は環状に曲げられる。この後、図２および図４に示すように、帯状鋼板１１の両端部に切削によって、係合溝１３が形成される。
【００１８】
図１および図３に示すように、介挿部材２１は、例えば、成形性に優れたＳＰＣＣのフープ材を用いることができる。帯状鋼板１１とは別のプレス金型により、介挿部材２１が成形される。このとき、爪部２２、２７と係合部２３、２８が同時に成形される。爪部２２、２７は、係合溝１３を挿通できるよう係合部２３、２８と同一形状に成形される。
【００１９】
図２および図４に示すように、環状の帯状鋼板１１の両端部に介挿部材２１が軸方向に挿通され、係合溝１３に爪部２２、２７および係合部２３、２８が挿通される。続いて介挿部材２１とは別のプレス金型によって、爪部２２、２７が爪部４０、４５と同一形状となるように塑性変形され、これら爪部２２、２７が帯状鋼板１１に対する介挿部材２１の抜け止めの役目を有する。
【００２０】
この後、帯状鋼板１１、介挿部材２１に熱処理、バレル加工がなされ、こうして出来たころ軸受用保持器１０に円筒ころ５０が装填され、さらに外輪が嵌め込まれる。この形をセットにして出荷され、客先にて内輪が組みつけられる。
【００２１】
前記介挿部材２１は、帯状鋼板１１の両端部を連結する機能を有するとともに、柱部２１ａを有するので、ころ軸受用保持器１０は、円周方向に多数のポケット孔１２を設けることができる。
【００２２】
本発明はこうした実施形態に何等限定されるものではなく、本発明の要旨を逸脱しない範囲において、種々なる態様で実施し得ることは勿論である。
【００２３】
上述した実施形態は、爪部２２、２７、４０、４５を内径側に形成し、内輪を除いたときに、円筒ころ５０がころ軸受用保持器１０の内径側へ抜けるのを防止した。他の実施形態として、爪部２２、２７、４０、４５を外径側に形成し、外輪を除いたときに、円筒ころ５０がころ軸受用保持器１０の外径側へ抜けるのを防止しても良い。
【符号の説明】
【００２４】
１０：ころ軸受用保持器、１１：帯状鋼板、１２：ポケット孔、１３：係合溝、２０：柱部、２１：挿通部材、２１ａ：柱部、２２：爪部、２３：係合部、２７：爪部、２８：係合部、３０：第１環状部、３５：第２環状部、４０：爪部、４５：爪部
【図１】
2013137046.tif 000003
【図２】
2013137046.tif 000004
【図３】
2013137046.tif 000005
【図４】
2013137046.tif 000006
【図５】
2013137046.tif 000007